(57)【特許請求の範囲】
【請求項１】
ファクシミリ端末と接続されるファクシミリ蓄積型交換機と、該ファクシミリ蓄積型交換機に接続される電子メール装置から構成される、文書画像の電子メール送信システムにおいて、
前記ファクシミリ蓄積型交換機は、ユーザが登録した短縮ダイヤル、前記電子メール装置の電話番号、電子メールのアドレスのリストを保持する手段と、
ファクシミリ端末から、短縮ダイヤルにより文書画像を受信する手段と、
前記短縮ダイヤルに該当する電子メールのアドレスを前記文書画像の決められた位置に付与する手段と、
前記短縮ダイヤルに該当する電話番号が示す電子メール装置に、電子メールアドレスが付与された文書画像を送信する手段とを有し、
前記電子メール装置は、前記ファクシミリ蓄積型交換機から文書画像を受信する手段と、
前記受信した文書画像から付加された文字パターン集合を、前記電子メールアドレスの文字列イメージを付加する位置の情報を用いて切り出す手段と、
前記切り出された文字パターン集合の個々のパターンを前記電子メールアドレスの文字列イメージとして付加するのに用いる文字フォント集合から作成した認識辞書を用いて文字コード列を作成する手段と、
前記作成された文字コード列に基づいて宛先の電子メールのアドレスを特定する手段と、
前記特定された電子メールのアドレスに、電子メールとして前記文書画像を送信する手段と、
を有することを特徴とする文書画像の電子メール送信システム。
【請求項２】
ファクシミリ端末と接続されるファクシミリ蓄積型交換機と、該ファクシミリ蓄積型交換機に接続される電子メール装置から構成される、文書画像の電子メール送信システムにおいて、
前記ファクシミリ蓄積型交換機は、ユーザが登録した短縮ダイヤル、前記電子メール装置の電話番号、電子メールのアドレスのリストを保持する手段と、
ファクシミリ端末から、短縮ダイヤルにより文書画像を受信する手段と、
前記短縮ダイヤルに該当する電子メールのアドレスを前記文書画像の決められた位置に付与する手段と、
前記短縮ダイヤルに該当する電話番号が示す電子メール装置に、電子メールアドレスが付与された文書画像を送信する手段とを有し、
前記電子メール装置は、前記ファクシミリ蓄積型交換機から文書画像を受信する手段と、
前記受信した文書画像から付加された文字パターン集合を、前記電子メールアドレスの文字列イメージを付加する位置の情報及び文字列イメージを付加する文字ピッチの情報を用いて切り出す手段と、
前記切り出された文字パターン集合の個々のパターンを、前記電子メールアドレスの文字列イメージとして付加するのに用いる文字フォント集合から作成した認識辞書を用いて文字コード列を作成する手段と、
前記作成された文字コード列に基づいて宛先の電子メールのアドレスを特定する手段と、
前記特定された電子メールのアドレスに、電子メールとして前記文書画像を送信する手段と、
を有することを特徴とする文書画像の電子メール送信システム。
【発明の詳細な説明】
【０００１】
【発明の属する技術分野】
本発明は、宛名の文字列イメージの付加手段を有するファクシミリ蓄積型交換機の回線に接続することにより、ファクシミリ端末から送信した文書画像を電子メールとして送信することが可能な電子メール装置に関するものである。
【０００２】
【従来の技術】
従来、ファクシミリ通信によって送信された文書画像を電子メールとして送信する手段を有する電子メール装置において、宛先の電子メールのアドレスを特定する方式としては、図６に示す方式がある。
【０００３】
この方式は、図６に示すように、発信者がファクシミリ端末１１から文書画像を送信する際に、文書の決まった位置に電子メールの宛先アドレスが書かれていることを前提としている。その文書の例を図７に示す（この例では左上に宛先アドレスが書かれている）。この文書画像を受けた電子メール装置１２は、文書画像の特定位置から、文字列らしいパターン列を切り出して認識し、その認識結果を宛先の電子メールアドレスとして特定している。
【０００４】
【発明が解決しようとする課題】
本発明者は、前記の従来技術を検討した結果、以下の問題点を見いだした。
【０００５】
従来の方式では、文書に宛先を記入するのが不特定多数のユーザであるため、宛先の文字列が記入される位置が一定ではなく、また、個々の文字パターンも決まった形状をしていない。そのため、宛先のアドレスの認識精度は低く、確実に送信先に送ることが困難であった。
【０００６】
本発明の目的は、電子メール装置において、宛先のアドレスを高い精度で特定することが可能な技術を提供することにある。
【０００７】
本発明の他の目的は、ファクシミリ入力によって文書画像を電子メールとして送信したいユーザが、高い信頼性で送信先に届けることが可能な技術を提供することにある。
【０００８】
本発明の前記ならびにその他の目的と新規な特徴は、本明細書の記述及び添付図面によって明らかにする。
【０００９】
【課題を解決するための手段】
本願において開示される発明のうち代表的なものの概要を簡単に説明すれば、以下のとおりである。
【００１０】
（１）ファクシミリ端末と接続されるファクシミリ蓄積型交換機と、該ファクシミリ蓄積型交換機に接続される電子メール装置から構成される、文書画像の電子メール送信システムにおいて、
前記ファクシミリ蓄積型交換機は、ユーザが登録した短縮ダイヤル、前記電子メール装置の電話番号、電子メールのアドレスのリストを保持する手段と、ファクシミリ端末から、短縮ダイヤルにより文書画像を受信する手段と、前記短縮ダイヤルに該当する電子メールのアドレスを前記文書画像の決められた位置に付与する手段と、前記短縮ダイヤルに該当する電話番号が示す電子メール装置に、電子メールアドレスが付与された文書画像を送信する手段とを有し、前記電子メール装置は、前記ファクシミリ蓄積型交換機から文書画像を受信する手段と、前記受信した文書画像から付加された文字パターン集合を、前記電子メールアドレスの文字列イメージを付加する位置の情報を用いて切り出す手段と、前記切り出された文字パターン集合の個々のパターンを前記電子メールアドレスの文字列イメージとして付加するのに用いる文字フォント集合から作成した認識辞書を用いて文字コード列を作成する手段と、前記作成された文字コード列に基づいて宛先の電子メールのアドレスを特定する手段と、前記特定された電子メールのアドレスに、電子メールとして前記文書画像を送信する手段とを有することを特徴とする。
【００１１】
（２）ファクシミリ端末と接続されるファクシミリ蓄積型交換機と、該ファクシミリ蓄積型交換機に接続される電子メール装置から構成される、文書画像の電子メール送信システムにおいて、
前記ファクシミリ蓄積型交換機は、ユーザが登録した短縮ダイヤル、前記電子メール装置の電話番号、電子メールのアドレスのリストを保持する手段と、ファクシミリ端末から、短縮ダイヤルにより文書画像を受信する手段と、前記短縮ダイヤルに該当する電子メールのアドレスを前記文書画像の決められた位置に付与する手段と、前記短縮ダイヤルに該当する電話番号が示す電子メール装置に、電子メールアドレスが付与された文書画像を送信する手段とを有し、前記電子メール装置は、前記ファクシミリ蓄積型交換機から文書画像を受信する手段と、前記受信した文書画像から付加された文字パターン集合を、前記電子メールアドレスの文字列イメージを付加する位置の情報及び文字列イメージを付加する文字ピッチの情報を用いて切り出す手段と、前記切り出された文字パターン集合の個々のパターンを、前記電子メールアドレスの文字列イメージとして付加するのに用いる文字フォント集合から作成した認識辞書を用いて文字コード列を作成する手段と、前記作成された文字コード列に基づいて宛先の電子メールのアドレスを特定する手段と、
前記特定された電子メールのアドレスに、電子メールとして前記文書画像を送信する手段とを有することを特徴とする。
【００１２】
前述の手段によれば、ファクシミリ蓄積型交換機から送信された文書画像から、ファクシミリ蓄積型交換機によって付加された文字パターン集合を、ファクシミリ蓄積型交換機が文字列イメージを付加する位置の情報及びファクシミリ蓄積型交換機が文字列イメージを付加する文字ピッチの情報を用いて切り出し、文字パターン集合の個々のパターンを、ファクシミリ蓄積型交換機が文字列イメージとして付加するのに用いる文字フォント集合から作成した認識辞書を用いて認識し、この認識された文字パターン集合の個々のパターンにより文字コード列を作成し、この文字コード列を基に宛先の電子メールアドレスを特定することにより、文書画像中に記入される宛先の電子メールアドレスに関する文字パターンの切り出しと認識を高精度で行うので、電子メールアドレスの特定を高精度で行うことができる。
【００１３】
【実施の形態】
以下、図面を参照して本発明の実施形態（実施例）を詳細に説明する。
【００１４】
図１は本発明の一実施形態（実施例）に係るファクシミリ端末とファクシミリ蓄積型交換機と電子メール装置の接続形態を示す図である。
【００１５】
本実施形態の電子メール装置の前提は、ファクシミリ蓄積型交換機にユーザが短縮ダイヤルと文書に付加する宛名のリストをあらかじめ登録しておくことと、本発明の電子メール装置内にファクシミリ蓄積型交換機が文書画像に文字列イメージを付加する位置の情報と文字ピッチの情報を記憶させておくことである。
【００１６】
図１に示すように、本実施形態の電子メール装置３３は、送信者のファクシミリ端末（ＦＡＸ端末）３１と接続されているファクシミリ蓄積型交換機３２に接続されている。そして、その出力は電子メール網に接続されている。
【００１７】
前記電子メール装置３３の電話番号を５８８８とする。ファクシミリ蓄積型交換機３２には、各ユーザ毎の短縮ダイヤルとそれに対応した送信先電話番号と文書画像に付加される宛名の文字コードが登録されている。あるユーザが登録した短縮ダイヤル、送信先電話番号、宛名の文字コードの例を図２に示す。
【００１８】
図２の例では、短縮ダイヤル０３と０４が電話メール送信のためにユーザが登録した短縮ダイヤルである。このレコードの中の電話番号のフィールドには、電子メール装置３３の電話番号である５８８８を入れる必要があり、また、宛名のフィールドには宛先の電子メールのアドレスを入れる必要がある。
【００１９】
図３は本発明の一実施形態（実施例）の電子メール装置の概略構成を示すブロック図であり、５１は宛名位置情報レジスタ、５２は宛名文字列切出手段、５３は文字ピッチレジスタ、５４は個別文字切出手段、５５は認識辞書、５６は文字認識手段である。
【００２０】
説明のために、これらの例でファクシミリ端末３１から“ａｂｃ＠ｘｘｙｙｚｚ”宛に電子メールを送るために、短縮ダイヤル０３で図４の（Ａ）の文書を送信したとする。この場合、ファクシミリ蓄積型交換機において、まず、短縮ダイヤル０３に該当する宛名であるａｂｃ＠ｘｘｙｙｚｚが図４の（Ｂ）のように文書画像の先頭に付けられる。そして０３に該当する電話番号である５８８８に向けて図４の（Ｂ）の文書画像が送信される。
【００２１】
これを受けた電子メール装置３３は、宛先電子メールアドレスの特定を次のように行う。図３に示すように、まず、宛名位置情報レジスタ５１に格納されている位置情報を用いて宛名文字列切出手段５２が文書画像から宛名文字列を切り出す。ファクシミリ蓄積型交換機３２が宛名文字列を文書画像に付与する位置は通常固定的に決まっているので、この切り出しは高精度に行える。その結果を図５の（Ａ）に示す。
【００２２】
次に、文字ピッチレジスタ５３に格納されている文字ピッチの情報を用いて、個別文字切出手段５４が文字列パターンから個々の文字パターンを切り出す。ファクシミリ蓄積型交換機が宛名文字列を文書画像に付与する文字ピツチは通常固定的に決まっているので、この切り出しは高精度に行える。その結果を図５の（Ｂ）に示す。
【００２３】
次に、認識辞書５５を用いて文字認識手段５６が個々の文字パターンの認識を行い、電子メールアドレス“ａｂｃ＠ｘｘｙｙｚｚ”が特定される。ファクシミリ蓄積型交換機３２が用いる文字フォントは通常は固定的に決まっており、かつ、ファクシミリ蓄積型交換機３２から電子メール装置３３に送信する間の画像の劣化は非常に少ないので、この認識は高精度で行える。
【００２４】
以上の説明からわかるように、本実施形態の電子メール装置３３によれば、ファクシミリ蓄積型交換機３２から送信された文書画像から、ファクシミリ蓄積型交換機３２によって付加された文字パターン集合を、ファクシミリ蓄積型交換機３２が文字列イメージを付加する位置の情報及びファクシミリ蓄積型交換機が文字列イメージを付加する文字ピッチの情報を用いて切り出し、文字パターン集合の個々のパターンを、ファクシミリ蓄積型交換機３２が文字列イメージとして付加するのに用いる文字フォント集合から作成した認識辞書を用いて認識し、この認識された文字パターン集合の個々のパターンにより文字コード列を作成し、この文字コード列を基に宛先の電子メールアドレスを特定することにより、文書画像中に記入される宛先の電子メールアドレスに関する文字パターンの切り出しと認識を高精度で行うので、電子メールアドレスの特定を高精度で行うことができる。
【００２５】
以上、本発明者によってなされた発明を、前記実施例に基づき具体的に説明したが、本発明は、前記実施例に限定されるものではなく、その要旨を逸脱しない範囲において種々変更可能であることは勿論である。
【００２６】
【発明の効果】
本願によって開示さる発明のうち代表的なものによって得られる効果を簡単に説明すれば、以下のとおりである。
【００２７】
（１）宛先の電子メールのアドレスを高い精度で特定することができる。
【００２８】
（２）ファクシミリ入力によって文書画像を電子メールとして送信したいユーザは、高い信頼性で送信先に届けることができる。
【図面の簡単な説明】
【図１】本発明の一実施形態（実施例）に係るファクシミリ端末とファクシミリ蓄積型交換機と電子メール装置の接続形態を示す図である。
【図２】本実施形態のファクシミリ蓄積型交換機におけるユーザが登録した短縮ダイヤル、送信先電話番号、宛名の文字コードの例を示す図である。
【図３】本発明の一実施形態（実施例）の電子メール装置の概略構成を示すブロック構成図である。
【図４】本実施形態の電子メール装置の動作を説明するための文書画像の例を示す図である。
【図５】本実施形態の電子メール装置における各処理過程の処理内容を表す図である。
【図６】ファクシミリ送信された文書画像を電子メールとして送信する従来の電子メール装置のファクシミリ端末との接続形態を示す図である。
【図７】従来の電子メールアドレスを特定する方式における入力文書画像の例を示す図である。
【符号の説明】
１１…ファクシミリ端末、１２…電子メール装置、３１…ＦＡＸ端末、３２…ファクシミリ蓄積型交換機、３３…電子メール装置、５１…宛名位置情報レジスタ、５２…宛名文字列切出手段、５３…文字ピッチレジスタ、５４…個別文字切出手段、５５…認識辞書、５６…文字認識手段。
【図１】
0003562780.tif 000002
【図２】
0003562780.tif 000003
【図３】
0003562780.tif 000004
【図４】
0003562780.tif 000005
【図５】
0003562780.tif 000006
【図６】
0003562780.tif 000007
【図７】
0003562780.tif 000008